(57)【要約】【課題】貨幣収納装置からの金融機関の預金口座の預金の引き出しによる買い物客への釣銭が不足することを抑制する。【解決手段】商品販売データ処理装置１０は、規定の金額以下で引き出し金額を指定する引出金額指定手段３６と、預金口座から引出金額指定手段３６によって指定された引き出し金額の現金の引き出しを要求する引出要求情報を、管理装置に送信する引出情報送信手段と、引出要求情報に応じて管理装置から送信された許諾情報が通信部によって受信された場合、貨幣収納装置１０２から引出金額指定手段３６によって指定された金額の貨幣を取り出し可能な状態とさせる引出制御手段と、を備える。【選択図】図１
2011076298.tif 000002
【特許請求の範囲】
【請求項１】
釣銭が発生する取引に伴い、貨幣を取り出し可能に収納した貨幣収納装置内の貨幣を釣銭として取り出し可能な状態とさせる商品販売データ処理装置において、
金融機関に開設された預金口座を管理する管理装置との間で、通信を行う通信部と、
前記貨幣収納装置からの現金の引き出しを宣言する引出宣言手段と、
規定の金額以下で引き出し金額を指定する引出金額指定手段と、
前記預金口座を特定する口座識別情報の入力を受け付ける口座識別情報受付手段と、
前記口座識別情報によって特定される前記預金口座から前記引き出し金額の現金の引き出しを要求する引出要求情報を、前記通信部を用いて前記管理装置に送信する引出情報送信手段と、
前記引出要求情報に応じて前記管理装置から送信された許諾情報が前記通信部によって受信された場合、前記貨幣収納装置から前記引き出し金額の貨幣を取り出し可能な状態とさせる引出制御手段と、
を備えることを特徴とする商品販売データ処理装置。
【請求項２】
前記貨幣収納装置内の現金の在高を算出する在高算出手段によって算出された前記貨幣収納装置内の現金の在高から前記引き出し金額を減算して得た予想在高が規定の金額以下である場合には、前記貨幣収納装置内の現金の在高が前記引き出し金額以上有っても、前記引出情報送信手段による前記送信を禁止する引出禁止手段を備えることを特徴とする請求項１に記載の商品販売データ処理装置。
【請求項３】
釣銭が発生する取引に伴い、貨幣を払い出し可能に収納した貨幣収納装置に貨幣を釣銭として払い出させる商品販売データ処理装置において、
金融機関に開設された預金口座を管理する管理装置との間で、通信を行う通信部と、
前記貨幣収納装置からの現金の引き出しを宣言する引出宣言手段と、
前記貨幣収納装置に収納される貨幣の金種のうち最高額面金額の金種の額面金額の整数倍の引き出し金額を指定する引出金額指定手段と、
前記預金口座を特定する口座識別情報の入力を受け付ける口座識別情報受付手段と、
前記口座識別情報によって特定される前記預金口座から前記引き出し金額の現金の引き出しを要求する引出要求情報を、前記通信部を用いて前記管理装置に送信する引出情報送信手段と、
前記引出要求情報に応じて前記管理装置から送信された許諾情報が前記通信部によって受信された場合、前記貨幣収納装置に前記引き出し金額の貨幣を前記最高額面金額の金種で払い出させる引出制御手段と、
を備えることを特徴とする商品販売データ処理装置。
【請求項４】
前記引出金額指定手段は、予め設定された複数種類の金額の中から一つの金額を前記引き出し金額として指定することを特徴とする請求項１ないし３のいずれか一項に記載の商品販売データ処理装置。
【請求項５】
金融機関に開設された預金口座を管理する管理装置との間で、通信を行う通信部と、前記貨幣収納装置からの現金の引き出しを宣言する引出宣言手段と、規定の金額以下で引き出し金額を指定する引出金額指定手段と、コンピュータと、を備え、釣銭が発生する取引に伴い、貨幣を取り出し可能に収納した貨幣収納装置内の貨幣を釣銭として取り出し可能な状態とさせる商品販売データ処理装置の前記コンピュータを、
前記預金口座を特定する口座識別情報の入力を受け付ける口座識別情報受付手段と、
前記口座識別情報によって特定される前記預金口座から前記引き出し金額の現金の引き出しを要求する引出要求情報を、前記通信部を用いて前記管理装置に送信する引出情報送信手段と、
前記引出要求情報に応じて前記管理装置から送信された許諾情報が前記通信部によって受信された場合、前記貨幣収納装置から前記引き出し金額の貨幣を取り出し可能な状態とさせる引出制御手段と、
として機能させるプログラム。
【請求項６】
金融機関に開設された預金口座を管理する管理装置との間で、通信を行う通信部と、前記貨幣収納装置からの現金の引き出しを宣言する引出宣言手段と、前記貨幣収納装置に収納される貨幣の金種のうち最高額面金額の金種の額面金額の整数倍の引き出し金額を指定する引出金額指定手段と、コンピュータと、を備え、釣銭が発生する取引に伴い、貨幣を払い出し可能に収納した貨幣収納装置に貨幣を釣銭として払い出させる商品販売データ処理装置の前記コンピュータを、
前記預金口座を特定する口座識別情報の入力を受け付ける口座識別情報受付手段と、
前記口座識別情報によって特定される前記預金口座から前記引き出し金額の現金の引き出しを要求する引出要求情報を、前記通信部を用いて前記管理装置に送信する引出情報送信手段と、
前記引出要求情報に応じて前記管理装置から送信された許諾情報が前記通信部によって受信された場合、前記貨幣収納装置に前記引き出し金額の貨幣を前記最高額面金額の金種で払い出させる引出制御手段と、
として機能させるプログラム。
【発明の詳細な説明】
【技術分野】
【０００１】
本発明は、商品販売データ処理装置及びプログラムに関する。
【背景技術】
【０００２】
近年、銀行や信用金庫等の金融機関のＡＴＭ（現金自動預け入れ払い機）が、金融機関の店舗の他にスーパーマーケット等の小売店にも設置されている。これにより、金融機関の利用者は小売店で現金を引き出すことができるので、利用者にとっての利便性が向上している。
【０００３】
このようにＡＴＭを小売店に設置することにより、小売店には、顧客の来店回数の増加が期待できるという利点が有る反面、ＡＴＭを設置した分だけ売り場面積が減少してしまうという欠点もある。そこで、小売店に設置されているＰＯＳ（Point of Sales：販売時点管理）端末にＡＴＭの機能を設け、ＰＯＳ端末を操作することによって、このＰＯＳ端末に接続されている貨幣収納装置である自動釣銭機内の現金を引き出し可能とする提案がされている（例えば、特許文献１参照）。このようにＰＯＳ端末にＡＴＭの機能を設けることで、ＡＴＭを設置する必要がなくなるので、売り場面積の減少を抑制することができる。
【発明の概要】
【発明が解決しようとする課題】
【０００４】
しかしながら、このようにＰＯＳ端末にＡＴＭの機能を設けて自動釣銭機内の現金を引き出し可能とすると、現金が引き出されることで自動釣銭機内の現金が少なくなり、自動釣銭機の本来の機能である買い物客への釣銭の払い出しに支障を来たす虞がある。
【０００５】
本発明は、上記に鑑みてなされたものであって、貨幣収納装置からの金融機関の預金口座の預金の引き出しによる買い物客への釣銭が不足することを抑制することができる商品販売データ処理装置及びプログラムを提供することを目的とする。
【課題を解決するための手段】
【０００６】
上述した課題を解決し、目的を達成するために、本発明は、釣銭が発生する取引に伴い、貨幣を取り出し可能に収納した貨幣収納装置内の貨幣を釣銭として取り出し可能な状態とさせる商品販売データ処理装置において、金融機関に開設された預金口座を管理する管理装置との間で、通信を行う通信部と、前記貨幣収納装置からの現金の引き出しを宣言する引出宣言手段と、規定の金額以下で引き出し金額を指定する引出金額指定手段と、前記預金口座を特定する口座識別情報の入力を受け付ける口座識別情報受付手段と、前記口座識別情報によって特定される前記預金口座から前記引き出し金額の現金の引き出しを要求する引出要求情報を、前記通信部を用いて前記管理装置に送信する引出情報送信手段と、前記引出要求情報に応じて前記管理装置から送信された許諾情報が前記通信部によって受信された場合、前記貨幣収納装置から前記引き出し金額の貨幣を取り出し可能な状態とさせる引出制御手段と、を備えることを特徴とする。
【０００７】
また、本発明は、釣銭が発生する取引に伴い、貨幣を払い出し可能に収納した貨幣収納装置に貨幣を釣銭として払い出させる商品販売データ処理装置において、金融機関に開設された預金口座を管理する管理装置との間で、通信を行う通信部と、前記貨幣収納装置からの現金の引き出しを宣言する引出宣言手段と、前記貨幣収納装置に収納される貨幣の金種のうち最高額面金額の金種の額面金額の整数倍の引き出し金額を指定する引出金額指定手段と、前記預金口座を特定する口座識別情報の入力を受け付ける口座識別情報受付手段と、前記口座識別情報によって特定される前記預金口座から前記引き出し金額の現金の引き出しを要求する引出要求情報を、前記通信部を用いて前記管理装置に送信する引出情報送信手段と、前記引出要求情報に応じて前記管理装置から送信された許諾情報が前記通信部によって受信された場合、前記貨幣収納装置に前記引き出し金額の貨幣を前記最高額面金額の金種で払い出させる引出制御手段と、を備えることを特徴とする。
【０００８】
また、本発明のプログラムは、金融機関に開設された預金口座を管理する管理装置との間で、通信を行う通信部と、前記貨幣収納装置からの現金の引き出しを宣言する引出宣言手段と、規定の金額以下で引き出し金額を指定する引出金額指定手段と、コンピュータと、を備え、釣銭が発生する取引に伴い、貨幣を取り出し可能に収納した貨幣収納装置内の貨幣を釣銭として取り出し可能な状態とさせる商品販売データ処理装置の前記コンピュータを、前記預金口座を特定する口座識別情報の入力を受け付ける口座識別情報受付手段と、前記口座識別情報によって特定される前記預金口座から前記引き出し金額の現金の引き出しを要求する引出要求情報を、前記通信部を用いて前記管理装置に送信する引出情報送信手段と、前記引出要求情報に応じて前記管理装置から送信された許諾情報が前記通信部によって受信された場合、前記貨幣収納装置から前記引き出し金額の貨幣を取り出し可能な状態とさせる引出制御手段と、として機能させる。
【０００９】
また、本発明のプログラムは、金融機関に開設された預金口座を管理する管理装置との間で、通信を行う通信部と、前記貨幣収納装置からの現金の引き出しを宣言する引出宣言手段と、前記貨幣収納装置に収納される貨幣の金種のうち最高額面金額の金種の額面金額の整数倍の引き出し金額を指定する引出金額指定手段と、コンピュータと、を備え、釣銭が発生する取引に伴い、貨幣を払い出し可能に収納した貨幣収納装置に貨幣を釣銭として払い出させる商品販売データ処理装置の前記コンピュータを、前記預金口座を特定する口座識別情報の入力を受け付ける口座識別情報受付手段と、前記口座識別情報によって特定される前記預金口座から前記引き出し金額の現金の引き出しを要求する引出要求情報を、前記通信部を用いて前記管理装置に送信する引出情報送信手段と、前記引出要求情報に応じて前記管理装置から送信された許諾情報が前記通信部によって受信された場合、前記貨幣収納装置に前記引き出し金額の貨幣を前記最高額面金額の金種で払い出させる引出制御手段と、として機能させる。
【発明の効果】
【００１０】
本発明によれば、貨幣収納装置からの金融機関の預金口座の預金の引き出しによる買い物客への釣銭が不足することを抑制することができる、という効果を奏する。
【図面の簡単な説明】
【００１１】
【図１】図１は、本発明の第１の実施の形態にかかる会計システムを示す外観図である。
【図２】図２は、ＰＯＳ端末の電装系を自動釣銭機等と共に示すブロック図である。
【図３】図３は、自動釣銭機を示すブロック図である。
【図４】図４は、現金引出処理におけるＰＯＳ端末の機能構成を示すブロック図である。
【図５】図５は、ＰＯＳ端末が実行する現金引出処理を示すフローチャートである。
【図６】図６は、本発明の第２の実施の形態にかかる会計システムを示す外観図である。
【図７】図７は、ＰＯＳ端末が実行する現金引出処理を示すフローチャートである。
【図８】図８は、ＰＯＳ端末の操作者用表示器に表示される初期画面を示す図である。
【図９】図９は、ＰＯＳ端末の操作者用表示器に表示される引出金額指定画面を示す図である。
【発明を実施するための形態】
【００１２】
以下に添付図面を参照して、本発明にかかる商品販売データ処理装置及びプログラムの実施の形態を詳細に説明する。
【００１３】
［第１の実施の形態］
本発明の第１の実施の形態を説明する。本実施の形態は、商品販売データ装置をキャッシャが操作を行うＰＯＳ端末へ適用した例である。
【００１４】
図１に示すように、会計システム１は、商品販売データ処理装置であり商品の販売登録を行うＰＯＳ端末１０と、このＰＯＳ端末１０に通信ケーブル（図示せず）を介して接続され釣銭準備金を収納する自動釣銭機１００と、引出金額札２００と、を備えている。この会計システム１は、金融機関に開設された預金口座の預金を自動釣銭機１００から引き出し可能となっている。
【００１５】
ＰＯＳ端末１０は、キーボード３２、モードキー３３、操作者用表示器３４、客用表示器３５、コードスキャナ３６、サーマルプリンタ３７、カードリーダ７５、ピンパッド７６等を備えている。操作者用表示器３４には、タッチパネル４３が積層して取り付けられている。また、ＰＯＳ端末１０は、上記各部を制御する制御部３１（図２参照）を備えている。
【００１６】
図２に示すように、制御部３１は、各部を集中的に制御するＣＰＵ（Central Processing Unit）３８に、アドレスバス、データバス等のバスライン３９を介して、起動プログラム等の固定的データを予め格納するＲＯＭ（Read Only Memory）４０と、売上バッファや印字バッファ等の各種バッファを構成して各種データを書き換え自在に格納するＲＡＭ（Random Access Memory）４１と、日付や日時を計時するタイマ４２とが接続されて構成されたコンピュータである。
【００１７】
ＣＰＵ３８に接続されたバスライン３９には、ＨＤＤ（Hard Disk Drive）５５が接続されており、このＨＤＤ５５には、制御部３１を動作させるコンピュータプログラムの他に、商品マスタファイル、売上データ等を記憶する売上ファイル等を格納している。商品マスタファイルは、商品コードに対応付けて商品名や単価、重量などを記憶するファイルである。
【００１８】
ＨＤＤ５５に格納されたコンピュータプログラムは、ＰＯＳ端末１０の起動時に商品マスタファイル等の各種ファイルとともにＲＡＭ４１に書き込まれ、これによって制御部３１による各部の駆動制御が可能な状態となる。
【００１９】
次に、制御部３１によって駆動制御される各部を図１及び図２に基づいて説明する。
【００２０】
キーボード３２は、置数キー、ＰＬＵキー、部門キー、小計キー、預／現計キー、クリアキー、エンターキー、リセットキー、中止キー、引出宣言手段である現金引出キー３２ａ等の各種キーを有している。キーボード３２は、キーボードコントローラ６８を介してバスライン３９に接続され、操作されたキーに応じた信号をキーボードコントローラ６８の動作によって制御部３１に入力する。ここで、現金引出キー３２ａは、自動釣銭機１００の紙幣入出金装置（貨幣収納装置）１０２からの現金の引き出しを宣言するものである。
【００２１】
モードキー３３は、モードキーコントローラ６９を介してバスライン３９に接続され、モードキーコントローラ６９の動作によって切り替え位置に応じた信号を制御部３１に入力する。制御部３１は、モードキー３３からの出力信号に応じて、ＰＯＳ端末１０の動作モードを登録モード、設定モード、精算モード、点検モード、トレーニングモード等の各業務モードに設定する。
【００２２】
操作者用表示器３４及び客用表示器３５は、表示コントローラ７０，７１を介してバスライン３９に接続され、制御部３１からの表示データが表示コントローラ７０，７１に入力されると、表示コントローラ７０，７１に駆動されて所定事項を表示する。
【００２３】
タッチパネル４３は、操作者によってタッチされたパネル上のＸＹ座標の位置を認識して座標データを取得する。タッチパネル４３は、パネルコントローラ４４を介してバスライン３９に接続され、取得した座標データに応じた信号をパネルコントローラ４４の動作によって制御部３１に入力する。制御部３１は、タッチパネル４３においてタッチされた座標に対応する操作者用表示器３４に表示されるボタン等を認識することで、タッチパネルによって指定されたボタン等を認識することになる。
【００２４】
コードスキャナ３６は、商品に付されたバーコードなどの商品コードや引出金額札２００（図１参照）に表示された金額等のコードシンボル化された情報を光学的に読み取るもので、スキャナコントローラ７２を介してバスライン３９に接続され、読み取った情報のスキャナコントローラ７２の動作によって制御部３１に送信する。ここで、引出金額札２００には、図１に示すように、金額と、この金額がコード化されたバーコードとが表示されている。本実施の形態では、引出金額札２００は、表示された金額がそれぞれ異なる複数種類のものが設けられており、詳細には、表示された金額が１万円、２万円、３万円の３種類が設けられている。そして、コードスキャナ３６は、引出金額指定手段として機能して、操作者の操作によって、複数種類の引出金額札２００のうちの一つのバーコードをスキャンして金額を読み取って制御部３１に入力することで、規定の金額（本実施の形態では３万円）以下で引き出し金額を指定する。したがって、本実施の形態では、コードスキャナ３６は、３万円、２万円、１万円のうちのいずれか一つの金額を引き出し金額として指定する。即ち、コードスキャナ３６は、予め設定された複数種類の金額の中から一つの金額を引き出し金額として指定する。また、コードスキャナ３６は、自動釣銭機１００の後述する紙幣入出金装置（貨幣収納装置）１０２に収納される貨幣である紙幣の金種のうち最高額面金額の金種（１万円）の額面金額の整数倍の引き出し金額を指定する。ここで、引出金額札２００は、ＰＯＳ端末１０の近傍に配置されている。
【００２５】
サーマルプリンタ３７は、図２に示すように、プリンタコントローラ７３を介してバスライン３９に接続され、制御部３１によって駆動制御される。このサーマルプリンタ３７には、カッタ部（図示せず）が内蔵されている。サーマルプリンタ３７は、制御部３１によって駆動制御されて、図示しない長尺紙であるレシート用紙にレシートとしての必要事項を印字し、これを切断してレシートとして発行する。また、サーマルプリンタ３７は、制御部３１によって駆動制御され、レシート用紙に現金の引き出しに関する取引明細書としての必要事項を印字し、これを切断して、取引明細書を発行する。
【００２６】
カードリーダ７５は、カードリーダコントローラ７７を介してバスライン３９に接続され、制御部３１によって駆動制御される。このカードリーダ７５は、金融機関が発行する磁気カードであるキャッシュカード（図示せず）に記憶されている情報を読み取り、読み取った情報をカードリーダコントローラ７７の動作によって制御部３１に入力する。ここで、キャッシュカードには、口座を識別する口座識別情報として口座番号が記憶されており、カードリーダ７５は、キャッシュカードに記憶されている口座番号を読み取る。
【００２７】
ピンパッド７６は、顧客による暗証番号の入力のためのものであり、置数キーを有している。ピンパッド７６は、ピンパッドコントローラ７８を介してバスライン３９に接続され、操作されたキーに応じた信号をピンパッドコントローラ７８の動作によって制御部３１に入力する。
【００２８】
また、ＰＯＳ端末１０には、通信ケーブルを介して自動釣銭機１００に接続され自動釣銭機１００との間のデータ通信を司るインターフェース（図面ではＩ／Ｆ）７９が設けられている。このインターフェース７９は、バスライン３９に接続されており、制御部３１によって駆動制御される。制御部３１は、インターフェース７９を介して自動釣銭機１００を制御する。
【００２９】
さらに、ＰＯＳ端末１０には、通信部としての通信インターフェース（図面ではＩ／Ｆ）７４が設けられている。この通信インターフェース７４は、金融機関に開設された預金口座を管理する管理装置３００と通信回線３０１を介して接続され、管理装置３００との間で通信を行う。この通信インターフェース７４は、バスライン３９に接続されており、制御部３１によって駆動制御される。ここで、管理装置３００は、コンピュータ構成の制御部と、預金口座毎に預金金額と暗証番号とを記憶した記憶部と、を備えている。
【００３０】
このような構成のＰＯＳ端末１０のＣＰＵ３８は、商品の売上登録処理を行う。売上登録処理では、ＣＰＵ３８は、例えばコードスキャナ３６による商品に付された商品コードの読み取り入力がなされると、読み取り入力された商品コードに基づいて商品マスタファイルを検索し、該当する商品コードに対応した商品名や単価等の商品情報を読み出し、商品コード及び読み出した商品情報等をＲＡＭ４１に記憶させて商品の販売登録を行う。そして、小計キーの押下に応じて当該取引の売上金額を算出してＲＡＭ４１に記憶させる。次に、客が買上げる商品の登録を終了しその客が現金で代金を支払うことを宣言する締め宣言が預／現計キーの操作により行われたことを検知すると、締め処理を実行する。締め処理では、キーボード３２の置数キーによって入力された客からの預かり金額を取得し、その預かり金額からＲＡＭ４１に記憶させた当該取り引きの売上金額を減じて釣銭金額を算出し、自動釣銭機１００に対し釣銭データを送信する。また、サーマルプリンタ３７によるレシートの印字発行等を行う。釣銭データを受信した自動釣銭機１００は、釣銭データに基づいて釣銭を払い出す。即ち、ＰＯＳ端末１０は、釣銭が発生する取引に伴い、貨幣を取り出し可能に収納した自動釣銭機１００の後述する硬貨入出金装置１０１及び紙幣入出金装置１０２を制御して硬貨入出金装置１０１及び紙幣入出金装置１０２内の貨幣を釣銭として取り出し可能な状態とさせる。別の言い方をすると、ＰＯＳ端末１０は、釣銭が発生する取引に伴い、貨幣を払い出し可能に収納した自動釣銭機１００の硬貨入出金装置１０１及び紙幣入出金装置１０２を制御して硬貨入出金装置１０１及び紙幣入出金装置１０２に貨幣を釣銭として払い出させる。
【００３１】
自動釣銭機１００は、図１に示すように、貨幣収納装置であって硬貨を扱う硬貨入出金装置１０１と、貨幣収納装置であって紙幣を扱う紙幣入出金装置１０２と、を備えている。硬貨入出金装置１０１及び紙幣入出金装置１０２は、扱う金銭は異なるが、金銭の処理を行う構成は同様であるので、共通の図（図３）を用いて説明する。
【００３２】
図３に示すように、硬貨入出金装置１０１及び紙幣入出金装置１０２は、それぞれ、金銭（硬貨入出金装置１０１の場合には硬貨、紙幣入出金装置１０２の場合には紙幣）を金種別に収納する金銭収納部１１１と、この金銭収納部１１１に収納されている金銭の金種別の枚数を記憶する収納枚数記憶部１１２と、客の支払いや釣銭準備金として補充する金銭を投入する投入口１１３と、この投入口１１３から投入（入金）された金銭を金種別に選別し金銭収納部１１１に収納する選別手段１１４と、この選別手段１１４により選別した金銭の枚数を金種別に計数する投入枚数計数手段１１５と、を備えている。
【００３３】
また、硬貨入出金装置１０１及び紙幣入出金装置１０２は、それぞれ、ＰＯＳ端末１０から送信される釣銭データ等を受信するインターフェース（図面ではＩ／Ｆ）１１６と、このインターフェース１１６を介して受信した釣銭データと収納枚数記憶部１１２に記憶した金種別の収納枚数データとに基づいて金種別の払出し枚数を算出する払出し払出枚数算出手段１１７と、金銭収納部１１１に収納された金銭を金種別に１枚ずつ払出す払出手段１１８と、この払出手段１１８により金銭収納部１１１から払出された金銭を受ける払出口１１９と、払出手段１１８により払出した金銭の枚数を金種別に計数する払出枚数計数手段１２０と、この払出枚数計数手段１２０により計数した金種別の払出枚数が払出枚数算出手段１１７により算出した払出枚数に一致するまで払出手段１１８を動作させて釣銭の払出しを行う金銭払出制御手段１２１と、投入枚数計数手段１１５により計数した金種別の投入枚数及び払出枚数計数手段１２０により計数した金種別の払出枚数に基づいて収納枚数記憶部１１２の値を更新する収納枚数更新手段１２２と、を備えている。
【００３４】
さらに、硬貨入出金装置１０１及び紙幣入出金装置１０２は、インターフェース１１６を介して在高の要求コマンドを受信すると、収納枚数記憶部１１２に記憶した金種別の収納枚数データを読出して現時点における現金の合計金額である在高を算出し、その在高を含む在高情報をインターフェース１１６を介してＰＯＳ端末１０に送出する在高算出手段１２３を備えている。この在高情報には、金種毎の金銭の枚数および金種毎の合計金額（在高）が含まれる。
【００３５】
次に、このような会計システム１が実行する各種の処理のうちＰＯＳ端末１０のＣＰＵ３８が実行する現金引出処理について説明する。
【００３６】
現金引出処理では、ＰＯＳ端末１０のＣＰＵ３８は、プログラムに従うことにより、図４に示すように、口座識別情報受付部８１と、認証情報受付部８２と、引出情報送信部８３と、引出制御部８４と、引出禁止部８５と、を機能部として実現する。
【００３７】
口座識別情報受付部８１は、口座識別情報受付手段として機能するものであって、預金口座を特定する口座識別情報である口座番号の入力を受け付けるものである。詳細には、口座識別情報受付部８１は、カードリーダ７５からの、キャッシュカードに記憶されている口座番号の入力を受け付けて、受け付けた口座番号をＲＡＭ４１に格納する。
【００３８】
認証情報受付部８２は、認証情報受付手段として機能するものであって、預金口座に対して予め設定された認証情報としての暗証番号の入力を受け付ける。詳細には、認証情報受付部８２は、ピンパッド７６からの暗証番号の入力を受け付けて、受け付けた暗証番号をＲＡＭ４１に格納する。
【００３９】
引出情報送信部８３は、引出情報送信手段として機能するものであって、口座識別情報受付部８１によって受け付けられた口座番号によって特定される預金口座から引出金額指定手段であるコードスキャナ３６によって指定された引き出し金額の現金の引き出しを要求する引出要求情報及び認証情報受付部８２によって受け付けられた暗証番号を、通信インターフェース７４を用いて管理装置３００に送信するものである。なお、引出要求情報と暗証番号とは、それらを一回の送信動作で同時に送信しても良いし、別々の送信動作で個別に送信しても良いが、以下では、それらを一回の送信動作で同時に送信する例を説明する。
【００４０】
引出制御部８４は、管理装置３００から送信された許諾情報が通信インターフェース７４によって受信された場合、紙幣入出金装置１０２を制御して紙幣入出金装置１０２からコードスキャナ３６によって指定された引き出し金額の紙幣を取り出し可能な状態とさせるものである。許諾情報は、引出要求情報による要求を許諾する旨の情報である。ここで、本実施の形態では、現金の引き出しとして自動釣銭機１００が払い出す貨幣は、紙幣のみに限定しており、硬貨は払い出さない。
【００４１】
引出禁止部８５は、紙幣入出金装置１０２内の現金の在高を算出する在高算出手段１２３によって算出された紙幣入出金装置１０２内の現金の在高からコードスキャナ３６によって指定された引き出し金額を減算して得た予想在高が規定の金額以下である場合には、紙幣入出金装置１０２内の現金の在高がコードスキャナ３６によって指定された引き出し金額以上有っても、引出情報送信部８３による上述の送信を禁止するものである。
【００４２】
現金引出処理について、図５に示すフローチャートを参照して説明する。ＰＯＳ端末１０のＣＰＵ３８は、現金引出キー３２ａが押下されて現金引出キー３２ａによって現金の引き出し宣言がなされたと判断すると（ステップＳ１のＹｅｓ）、操作者用表示器３４及び客用表示器３５の表示を、所定情報が表示された初期画面から、例えば「コードスキャナによって引き出し金額を指定して下さい」などの金額指定を促す情報が表示された画面へ変更する。そして、ＣＰＵ３８は、コードスキャナ３６による引き出し金額の指定を受け付ける（ステップＳ２）。コードスキャナ３６は、操作者の操作によって、複数の引出金額札２００のうちのいずれか一つのバーコードをスキャンすることで引き出し金額を指定する。
【００４３】
次に、ＣＰＵ３８は、コードスキャナ３６によって指定された引き出し金額の紙幣を自動釣銭機１００から払い出し可能か否かを判定する（ステップＳ３）。詳細には、ＣＰＵ３８は、紙幣入出金装置１０２内の現金の在高を紙幣入出金装置１０２に問い合わせすることによって取得し、取得した紙幣入出金装置１０２内の現金の在高からコードスキャナ３６によって指定された引き出し金額を減算して予想在高を算出する。そして、ＣＰＵ３８は、予想在高が規定の金額を超える場合には、払い出し可能であると判定し（ステップＳ３のＹｅｓ）、予想在高が規定の金額以下の場合には、払い出し不可であると判定する（ステップＳ３のＮｏ）。
【００４４】
ＣＰＵ３８は、ステップＳ３で、払い出し可能であると判定した場合には（ステップＳ３のＹｅｓ）、カードリーダ７５による口座番号の入力を受け付けて（ステップＳ４：口座識別情報受付部８１）、ピンパッド７６による暗証番号の入力を受け付ける（ステップＳ５：認証情報受付部８２）。
【００４５】
次に、ＣＰＵ３８は、ステップＳ２で受け付けた口座番号によって特定される預金口座からステップＳ４で指定された金額の現金の引き出しを要求する引出要求情報及びステップＳ５で受け付けた暗証番号を、通信インターフェース７４を用いて管理装置３００に送信する（ステップＳ６：引出情報送信部８３）。ここで、引出要求情報には、口座番号と引出金額とが含まれている。そして、ＣＰＵ３８は、管理装置３００からの許諾情報又は不可情報を受信するまで待機する（ステップＳ７のＮｏ、ステップＳ８のＮｏ）。
【００４６】
一方、ＰＯＳ端末１０から引出要求情報及び暗証番号を受信した管理装置３００は、暗証番号と引出要求情報中の口座番号とを用いてキャッシュカードの認証を行う。そして、管理装置３００は、ＰＯＳ端末１０から受信した引出要求情報中の口座番号に対応する暗証番号を記憶部から抽出し、この抽出した暗証番号とＰＯＳ端末１０から受信した暗証番号の一致によりキャッシュカードを認証すると、引出要求情報中の引き出し金額が引出要求情報中の口座番号の預金口座の残高範囲内であるか否かを判断する。そして、引き出し金額が残高範囲内である場合には、管理装置３００は、引き出しを許諾する旨の許諾情報をＰＯＳ端末１０に送信する。一方、管理装置３００は、暗証番号の不一致によってキャッシュカードの認証をしない場合や、引出要求情報中の引き出し金額が引出要求情報中の口座番号の預金口座の残高範囲外、即ち残高不足である場合には、当該預金口座からの引き出しを許可しない旨の不可情報をＰＯＳ端末１０に送信する。
【００４７】
ＰＯＳ端末１０のＣＰＵ３８は、管理装置３００からの許諾情報を受信した場合には（ステップＳ７のＹｅｓ）、操作者用表示器３４及び客用表示器３５に引出金額を表示する（ステップＳ９）。そして、預／現計キーが押下されて預／現計キーによって引出実行が宣言された場合には（ステップＳ１０のＹｅｓ）、ＣＰＵ３８は、引落処理を実行する（ステップＳ１１）。この引落処理では、ＣＰＵ３８は、引き出しを実行する旨の引出実行情報を管理装置３００へ送信し、この引出実行情報に応じて所定の処理を行った管理装置３００から所定の処理が完了した旨の処理完了情報を受信する処理である。ここで、管理装置３００が行う所定の処理は、引出要求情報中の引き出し金額を引出要求情報中の口座番号の預金口座から引き落として、ＰＯＳ端末１０が設置された店舗によって予め指定された預金口座に振り替える処理である。
【００４８】
次に、ＣＰＵ３８は、紙幣入出金装置１０２を制御して、ステップＳ２で受け付けた金額の紙幣を紙幣入出金装置１０２に払い出させ（ステップＳ１２：引出制御部８４）、サーマルプリンタ３７に、引き出し明細を印字した取引明細書を発行させる（ステップＳ１３）。このようにして払い出された紙幣と取引明細書とは、店員によって客に渡される。
【００４９】
一方、ＣＰＵ３８は、ステップＳ１０で、預／現計キーによる引出実行が宣言されないと判断した場合には（ステップＳ１０のＮｏ）、ステップＳ１１に進むことなく、処理を終了する。預／現計キーによる引出実行が宣言されない場合としては、例えば、中止キーが押下された場合などである。
【００５０】
また、ＣＰＵ３８は、管理装置３００から不可情報を受信した場合には（ステップＳ８のＹｅｓ）、エラー処理として、操作者用表示器３４及び客用表示器３５に預金口座が残高不足である旨を所定時間だけ表示し、その後に初期画面を表示して（ステップＳ１５）、処理を終了する。
【００５１】
また、ステップＳ３において、払い出し不可と判定した場合には（ステップＳ３のＮｏ）、ＣＰＵ３８は、エラー処理として、「釣銭不足の発生が予想されるため、引出処理を中止します」等の引出中止情報を操作者用表示器３４及び客用表示器３５に表示させて（ステップＳ１４）、処理を終了する。この処理によって、ＣＰＵ３８は、自動釣銭機１００内の現金の在高がコードスキャナ３６によって指定された引き出し金額以上有っても、引出情報送信部８３によるステップＳ７の送信の禁止（引出禁止部８５）を実現している。なお、ＣＰＵ３８は、ステップＳ１において、現金引出キー３２ａではなく他のキーが押下されたと判断した場合（ステップＳ１のＮｏ）には、他のキーに応じた他の処理を実行する。
【００５２】
以上説明したように、本実施の形態では、ＰＯＳ端末１０によって貨幣収納装置である紙幣入出金装置１０２から金融機関の預金口座の預金を引き出しすることができる。そして、ＰＯＳ端末１０において、引出金額指定手段であるコードスキャナ３６が規定の金額（具体的には３万円）以下で引き出し金額を指定するので、引き出し金額を無制限に設定できる場合に比べて、紙幣入出金装置１０２からの金融機関の預金口座の預金の引き出しによる買い物客への釣銭が不足することを抑制することができる。
【００５３】
また、本実施の形態では、ＰＯＳ端末１０において、引出禁止手段である引出禁止部８５が、貨幣収納装置である紙幣入出金装置１０２内の現金の在高を算出する在高算出手段１２３によって算出された紙幣入出金装置１０２内の現金の在高から引出金額指定手段であるコードスキャナ３６によって指定された引き出し金額を減算して得た予想在高が規定の金額以下である場合には、紙幣入出金装置１０２内の現金の在高がコードスキャナ３６によって指定された引き出し金額以上有っても、引出情報送信手段である引出情報送信部８３による送信を禁止する。したがって、紙幣入出金装置１０２での買い物客への釣銭が不足することをより抑制することができる。
【００５４】
また、本実施の形態では、引出金額指定手段であるコードスキャナ３６は、予め設定された複数種類の金額の中から一つの金額を引き出し金額として指定する。したがって、コードスキャナ３６による引き出し金額の指定を容易に行うことができる。
【００５５】
なお、口座番号のキーボード３２による口座番号の入力は、禁止することが望ましい。また、現金引出処理においては、取消、返品、レジマイナス操作を禁止することが望ましい。また、現金引出処理における入金操作は行わないことが望ましい。また、トレーニングモードで現金引出処理の練習を行えるようにすることが望ましい。
【００５６】
次に、本実施の形態の変形例を説明する。本変形例では、貨幣収納装置である紙幣入出金装置１０２に収納される貨幣である紙幣の金種のうち最高額面金額の金種（１万円）の額面金額の整数倍の引き出し金額（具体的には、１万円、２万円、３万円）だけを引き出し可能としてある。
【００５７】
これにより、図５の現金引出処理において、以下の点が異なる。まず、ステップＳ３では、ＣＰＵ３８は、コードスキャナ３６によって指定された引き出し金額の１万円札を紙幣入出金装置１０２から払い出し可能か否かを判定する。詳細には、ＣＰＵ３８は、紙幣入出金装置１０２内の１万円札の在高を紙幣入出金装置１０２に問い合わせすることによって取得し、取得した紙幣入出金装置１０２内の１万円札の在高がコードスキャナ３６によって指定された引き出し金額以上あるか否かを判定する。そして、ＣＰＵ３８は、紙幣入出金装置１０２内の１万円札の在高がコードスキャナ３６によって指定された引き出し金額以上有る場合には、払い出し可能であると判定し（ステップＳ３のＹｅｓ）、紙幣入出金装置１０２内の１万円札の在高がコードスキャナ３６によって指定された引き出し金額を下回る場合には、払い出し不可であると判定する（ステップＳ３のＮｏ）。
【００５８】
そして、ステップＳ１２では、ＣＰＵ３８は、紙幣入出金装置１０２を制御して紙幣入出金装置１０２からコードスキャナ３６によって指定された金額の紙幣を最高額面金額の金種の貨幣である１万円札で払い出させる。
【００５９】
また、ステップＳ１４では、エラー処理として、「払い出し不可です。引出処理を中止します」等の引出中止情報を操作者用表示器３４及び客用表示器３５に表示させて（ステップＳ１４）、処理を終了する。
【００６０】
このように、本変形例では、引出制御手段である引出制御部８４が、引出要求情報に応じて管理装置３００から送信された許諾情報が通信部である通信インターフェース７４によって受信された場合、貨幣収納装置である紙幣入出金装置１０２を制御して紙幣入出金装置１０２から引出金額指定手段であるコードスキャナ３６によって指定された金額の貨幣を最高額面金額の金種で払い出させる。したがって、紙幣入出金装置１０２は、引き出し用貨幣として、釣銭に用いることが無い最高額面金額の金種の貨幣である１万円札のみを払い出すので、１万円札以外の５０００円札や１０００円札等のお釣りに供することができる貨幣が引き出しによって減ることがない。よって、紙幣入出金装置１０２からの金融機関の預金口座の預金の引き出しによる買い物客への釣銭が不足することを抑制することができる。
【００６１】
［第２の実施の形態］
次に、本発明の第２の実施の形態を説明する。本実施の形態は、商品販売データ装置を客が操作を行うＰＯＳ端末へ適用した例である。なお、第１の実施の形態と同じ部分には同一符号を付与し、重複する説明は省略する。
【００６２】
図６に示すように、会計システム５０１は、会計装置５０２と、秤ユニット５０３と、備えている。
【００６３】
会計装置５０２は、ＰＯＳ端末１０と自動釣銭機１００と、を有している。ＰＯＳ端末１０は、基本的な構成は第１の実施の形態で説明したものと同じであるが、キーボード３２は設けられていない。本実施の形態では、キーボード３２のキーに代えて、操作者用表示器３４にタッチパネル４３で選択可能な各種のボタンが表示される。また、本実施の形態では、操作者である客用に、操作者用表示器３４を設けてあるので、第１の実施の形態で説明した客用表示器３５は設けられていない。ここで、本実施の形態では、ＰＯＳ端末１０の操作者用表示器３４に、図８に示す初期画面５１０が表示される。初期画面５１０には、会計ボタン５１１と、現金引出ボタン５１２とが表示されている。操作者のタッチ操作により、会計ボタン５１１がタッチパネル４３によって指定されることで、会計処理が宣言される。これにより、会計処理が宣言されると、ＰＯＳ端末１０が、商品の売上登録処理を行う。一方、現金引出ボタン５１２がタッチパネル４３によって指定されることで、貨幣収納装置としての自動釣銭機１００からの現金の引き出しが宣言される。しうたがって、タッチパネル４３が引出宣言手段として機能する。
【００６４】
また、この会計装置５０２には、買物籠載置台５０４が固定されている。買物籠載置台５０４は、会計前の商品を収納した買物籠が載置されるものである。
【００６５】
秤ユニット５０３は、ＰＯＳ端末によって販売登録された商品を収納するレジ袋等を保持した状態で、レジ袋内の商品の重量を計量するものである。
【００６６】
そして、会計システム５０１では、ＰＯＳ端末１０が、商品の売上登録処理において、コードスキャナ３６によって読み取り入力された商品コードに基づいて商品マスタファイルを検索し、該当する商品コードに対応した商品の重量を読み出す。そして、この読み出した重量が、コードスキャナ３６のスキャン後に秤ユニット５０３によって計量された重量と同一性を有するか否か判定して重量チェックを行う。これにより、販売登録がなされていない商品がレジ袋に入れられることを防止している。
【００６７】
次に、ＰＯＳ端末１０のＣＰＵ３８が実行する現金引出処理について、図７に示すフローチャートを参照して説明する。ＰＯＳ端末１０のＣＰＵ３８は、現金引出ボタン５１２がタッチ操作されて現金の引き出し宣言がなされたと判断すると（ステップＳ１のＹｅｓ）、図９に示す引出金額指定画面５２０を操作者用表示器３４に表示する（ステップＳ１０１）。この引出金額指定画面５２０には、金額が表示された引出金額ボタン５２１が表示されている。本実施の形態では、引出金額ボタン５２１は、表示された金額がそれぞれ異なる複数種類のものが設けられており、詳細には、表示された金額が１万円、２万円、３万円の３種類が設けられている。これらの引出金額ボタン５２１は、操作者のタッチ操作によりタッチパネル４３によっていずれか一つが引き出し金額として指定される。
【００６８】
そして、ＣＰＵ３８は、ステップＳ２で、タッチパネル４３による引き出し金額の指定を受け付けた後、第１の実施の形態又はその変形例と同じくステップＳ３以降の処理を行う。
【００６９】
以上説明した本実施の形態においても、第１の実施の形態と同様に、紙幣入出金装置１０２からの金融機関の預金口座の預金の引き出しによる買い物客への釣銭が不足することを抑制することができる。また、本実施の形態では、ＰＯＳ端末１０を含む会計システム５０１を客が操作して現金を引き出すので、客は店員に引き出し金額を知られること無く、現金を引き出すことができる。
【００７０】
なお、本発明は、本実施の形態に限ることなく本発明の要旨を逸脱しない範囲で他の実施の形態を各種採用することができる。例えば、商品販売データ処理装置を、ＥＣＲ（Electric Cash Register）に適用しても良い。
【００７１】
また、預金口座からの引き出しを硬貨入出金装置１０１によっても行うようにして良い。
【００７２】
また、在高算出手段をＰＯＳ端末１０に設けてもよい。この場合には、自動釣銭機１００内の在高の初期値をＰＯＳ端末１０に記憶させておく。これにより、在高算出手段は、在高の初期値と取引毎の釣銭データとに基づいて自動釣銭機１００内の在高を算出可能となる。
【００７３】
また、第２の実施の形態において、紙幣入出金装置１０２内の在高が少なくなるのに応じて、引出金額指定画面５２０に表示する引出金額ボタン５２１を高額のものから順に表示させないようにしても良い。
【００７４】
また、本実施の形態のＰＯＳ端末１０で実行されるプログラムを、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供しても良い。
【００７５】
また、本実施の形態のＰＯＳ端末１０で実行されるプログラムを、インターネット等のネットワークに接続されたコンピュータ上に格納し、ネットワーク経由でダウンロードさせることにより提供するように構成しても良い。また、本実施の形態のＰＯＳ端末１０で実行されるプログラムをインターネット等のネットワーク経由で提供または配布するように構成しても良い。
【符号の説明】
【００７６】
１０…ＰＯＳ端末
３２ａ…現金引出キー
３６…コードスキャナ
４３…タッチパネル
７４…通信インターフェース
８１…口座識別情報受付部
８３…引出情報送信部
８４…引出制御部
８５…引出禁止部
１０１…貨幣入出金装置
１０２…紙幣入出金装置
３００…管理装置
【先行技術文献】
【特許文献】
【００７７】
【特許文献１】特開２０００−２５９９４８公報
【図１】
2011076298.tif 000003
【図２】
2011076298.tif 000004
【図３】
2011076298.tif 000005
【図４】
2011076298.tif 000006
【図５】
2011076298.tif 000007
【図６】
2011076298.tif 000008
【図７】
2011076298.tif 000009
【図８】
2011076298.tif 000010
【図９】
2011076298.tif 000011